(57)【要約】【課題】外部機器との通信が容易にできるようにして、操作性の改善を図る。【解決手段】通信装置２４が通信回線を介して連結された場合、ＣＰＵ２６では、通信Ｉ／Ｆ２３のデータ端末準備完了信号の有無を検知し、相手側の送受信回路２５が動作可能な状態にあるか否かを判断し、動作可能状態であるときにはカメラ側を通信可能状態に設定する。この状態にて、操作部２１に設けられた送受信切換スイッチ２１ａを操作し、通信装置２４にデータを送信したい場合には、送信側にスイッチを入れ、上述したように画像・音声復号化されたデータあるいは非圧縮状態のデータを通信Ｉ／Ｆ２３，送受信回路２５を介して通信装置２４へ送る。また通信装置２４からデータを受信したい場合には、受信側にスイッチを入れ、データを通信Ｉ／Ｆ２３，送受信回路２５を介して受けて、上述したようにデジタル信号処理してＰＣカード１６に記録する。【選択図】図１
2004208328.tif 000002
【特許請求の範囲】
【請求項１】
被写体を撮像して画像データを出力する撮像手段と、画像データを符号化する画像データ符号化手段と、符号化された画像データをカメラ本体に設けられた記憶媒体に対して記録再生する記録再生手段と、シリアル通信可能な外部機器とシリアル通信を行う通信インタフェース手段とを備えたデジタル電子スチル・カメラにおいて、前記外部機器からの通信可能信号を検知する検知手段と、前記検知手段により外部機器からの通信可能信号を検知したときに、前記通信インタフェース手段を通信可能モードに設定する設定手段とを備えたことを特徴とするデジタル電子スチル・カメラ。
【請求項２】
前記記録再生手段の記録または再生の設定モードを切り換えるモード切換スイッチと、モード切換スイッチの記録モード設定時には前記通信インタフェース手段を受信可能モードに設定し、また切換スイッチの再生モード設定時には前記通信インタフェース手段を送信可能モードに設定する通信状態設定手段とを備えたことを特徴とする請求項１記載のデジタル電子スチル・カメラ。
【発明の詳細な説明】
【技術分野】
【０００１】
本発明は、画像データ，音声データを記憶媒体に対して記録再生可能なデジタル電子スチル・カメラに係り、さらに具体的には、パーソナル・コンピュータ，ファクシミリ等の通信可能な外部機器との通信を可能にしたデジタル電子スチル・カメラに関するものである。
【背景技術】
【０００２】
従来、外部機器と通信可能なデジタル電子スチル・カメラとして、特許文献１に示されたデジタル電子スチル・カメラのように、圧縮画像データを受信し、内蔵されている圧縮伸張手段を用いてデータ伸張して、送信可能にする構成のものが知られている。
【特許文献１】特開平５−１６７９７９号公報
【発明の開示】
【発明が解決しようとする課題】
【０００３】
しかしながら、前記従来のデジタル電子スチル・カメラでは、通信対象の外部機器が動作可能か否かを検知する手段を備えていなかったため、通信時、操作者は、その外部機器が動作可能であるか否かを確認した後、通信を行う必要があり、操作を煩雑にしていた。
【０００４】
本発明の目的は、外部機器との通信が容易にできるようにし、操作性の改善を図ったデジタル電子スチル・カメラを提供することにある。
【課題を解決するための手段】
【０００５】
前記目的を達成するため、本発明は、被写体を撮像して画像データを出力する撮像手段と、画像データを符号化する画像データ符号化手段と、符号化された画像データをカメラ本体に設けられた記憶媒体に対して記録再生する記録再生手段と、シリアル通信可能な外部機器とシリアル通信を行う通信インタフェース手段とを備えたデジタル電子スチル・カメラにおいて、前記外部機器からの通信可能信号を検知する検知手段と、前記検知手段により外部機器からの通信可能信号を検知したときに、前記通信インタフェース手段を通信可能モードに設定する設定手段とを備えたことを特徴とし、この構成によって、通信インタフェース手段を介して外部機器に接続されると、その外部機器が動作可能か否かが検知されて、動作可能であれば自動的に通信可能状態になる。
【０００６】
また本発明は、前記記録再生手段の記録または再生の設定モードを切り換えるモード切換スイッチと、モード切換スイッチの記録モード設定時には前記通信インタフェース手段を受信可能モードに設定し、また切換スイッチの再生モード設定時には前記通信インタフェース手段を送信可能モードに設定する通信状態設定手段とを備えたことを特徴とし、この構成によって、外部機器が動作可能であって通信可能状態となる際、カメラ側のモード切換スイッチが記録モード側に入っていれば自動的に受信可能モードになり、前記モード切換スイッチが再生モード側に入っていれば自動的に送信モードになる。
【発明の効果】
【０００７】
以上説明したように、本発明のデジタル電子スチル・カメラは、通信インタフェース手段がシリアル通信が可能な外部機器に接続されると、自動的に通信可能状態にでき、操作者は通信可能状態を確認する必要がなくなり、操作が容易で使い勝手がよくなる。
【０００８】
また、カメラ側のモード切換スイッチの記録あるいは再生モードの設定により、自動的に受信あるいは送信モードに設定することができ、送受信用の切換スイッチを不要にできて、カメラの小型化が図れる。
【発明を実施するための最良の形態】
【０００９】
以下、本発明の実施例を図面に基づいて説明する。
【００１０】
図１は本発明の第１実施例の構成を示すブロック図であり、１はマイク、２ａ，２ｂは増幅器／フィルタ、３は音声データの符号化／復号化を行う音声データ符号化手段および音声データ復号化手段である音声データ圧縮／伸張回路、４はＡ／Ｄ（アナログ／デジタル）変換回路、５はＤ／Ａ（デジタル／アナログ）変換回路である。
【００１１】
６は撮影レンズ７，絞り８，撮像素子であるＣＣＤ（またはＭＯＳ型撮像素子）９，ＣＤＳ（相関２重サンプリング）回路１０等からなるカメラ撮像部、１１は各種画像処理がなされるデジタル信号処理回路、１２は画像データの符号化／復号化を行う画像データ符号化手段および画像データ復号化手段である画像データ圧縮／伸張回路、１３はＦＩＦＯ回路、１４は一般的なメモリカードの機能およびパーソナル・コンピュータ（ＰＣ）で読み書き可能な機能を有する記憶媒体の一種であるＰＣカード１６とのインタフェース（Ｉ／Ｆ）をとるカードＩ／Ｆ回路、１７は前記ＰＣカード１６等が接続されるカード・コネクタである。
【００１２】
１８は前記カメラ撮像部６の機械系の駆動部（ドライバ）、１９はカメラ撮像部６の電気系のタイミング信号発生部（ＳＧ）、２０は照明手段であるストロボ、２１は各種モードを設定するための操作部、２２は設定されたモードを表示するモード表示部である。
【００１３】
２３はモデム等の外部の通信可能な機器とＩ／Ｆをとる通信Ｉ／Ｆ（例えば、シリアル・インタフェースのＲＳ−２３２Ｃ）、２５は、通信回線にデータを送信したり、また受信するためのモデム等の送受信回路、２６は前記各部をコントロールするＣＰＵである。
【００１４】
図１において、被写体画像は、撮影レンズ７から撮像素子であるＣＣＤ９に入力されて電気信号に変換される。撮像素子出力信号は、ＣＤＳ回路１０を通してＡ／Ｄ変換回路４で最適なサンプリング周波数（例えば、ＮＴＳＣ信号のサブキャリア周波数の整数倍）にてデジタル信号に変換される。デジタル信号に変換されたＣＤＳ出力信号は、デジタル信号処理回路１１にてガンマ補正，色分離等の通常のカメラ信号処理がなされ、Ｙ（輝度），Ｃｂ，Ｃｒ（色差）信号が作成される。これらの信号は、画像データ圧縮／伸張回路１２の画像圧縮部で符号化され、記憶素子であるＦＩＦＯ（またはＤＲＡＭ）回路１３に一旦記録される。ＦＩＦＯ回路１３に記録された圧縮画像データは、カードＩ／Ｆ回路１４を通して読み出され、ＰＣカード１６へ出力されて記録される。
【００１５】
一方、音声は、音声−電気信号変換素子であるマイク１にて電気信号に変換され、さらに増幅器／フィルタ２ａで増幅され、必要帯域にカットオフするフィルタを通した後、Ａ／Ｄ変換回路４で必要帯域の２倍以上のサンプリング周波数でデジタル信号に変換される。この信号は、音声データ圧縮／伸張回路３の音声圧縮部で符号化され、前記ＦＩＦＯ回路１３に記録される。ＦＩＦＯ回路１３に記録された圧縮音声データは、カードＩ／Ｆ回路１４を通して読み出され、ＰＣカード１６へ出力されて記録される。
【００１６】
次に画像・音声データの復号化の動作について説明する。
【００１７】
ＰＣカード１６から読み出された圧縮画像データは、カードＩ／Ｆ回路１４を通して、ＦＩＦＯ回路１３の画像ＦＩＦＯへ書き込まれる。ここに書き込まれた画像データは、画像データ圧縮／伸張回路１２の画像伸張部にてリアルタイムに伸張され、デジタル信号処理回路１１へ入力される。デジタル信号処理回路１１へ入力されたＹ，Ｃｂ，Ｃｒ信号は、ＮＴＳＣ信号にデジタル・エンコードされ、Ｄ／Ａ変換されてビデオ信号として出力される。
【００１８】
一方、ＰＣカード１６から読み出された圧縮音声データは、カードＩ／Ｆ回路１４を通して、ＦＩＦＯ回路１３の音声ＦＩＦＯへ書き込まれる。ここに書き込まれた音声データは、音声データ圧縮／伸張回路３の音声伸張部にてリアルタイムに伸張され、Ｄ／Ａ変換回路５にてアナログ信号に変換されて、オーディオ信号として出力される。
【００１９】
ＣＰＵ２６は、操作部２１からの指示、または図示しないがリモコン等の外部動作指示に従いカメラ内部の全動作を制御する。またカメラ内部状態等の表示は、モード表示部（例えば、ＬＣＤ，ＬＥＤ，ＥＬ等）２２に表示される。
【００２０】
次にデータ通信の動作について説明する。
【００２１】
外部ＰＣ等の外部機器との通信は、ＰＣカード１６を用いて行うことができるが、カメラ本体の端子接続部に通信回線を連結することによっても外部機器との通信が可能になっている。例えば、図２のフローチャートに示すように、通信装置２４が通信回線を介して連結された場合（Ｓ１−１）、検知手段と設定手段との機能を有しているＣＰＵ２６では、通信Ｉ／Ｆ２３であるＲＳ−２３２Ｃの信号線のＤＴＲ（データ端末準備完了）信号の有無を検知し（Ｓ１−２）、相手側の送受信回路２５が動作可能な状態にあるか否かを判断し、動作可能状態であるときにはカメラ側を通信可能状態に設定する（Ｓ１−３）。この状態にて、操作部２１に設けられた送受信切換スイッチ２１ａを操作し（Ｓ１−４）、通信装置２４にデータを送信したい場合には、送信側にスイッチを入れ、上述したように画像・音声復号化されたデータあるいは非圧縮状態のデータを通信Ｉ／Ｆ２３，送受信回路２５を介して通信装置２４へ送る（Ｓ１−５）。また通信装置２４からデータを受信したい場合には、受信側にスイッチを入れ、データを通信Ｉ／Ｆ２３，送受信回路２５を介して受けて（Ｓ１−６）、上述したようにデジタル信号処理してＰＣカード１６に記録する（Ｓ１−７）。
【００２２】
図３は本発明の第２実施例における通信動作に係るフローチャートであり、前記操作部２１にはカメラ側の記録モードあるいは再生モードを設定するためのモード選択スイッチ２１ｂ（図１参照）が設けられており、前記ＣＰＵ２６にて、このモード選択スイッチ２１ｂの選択モードを検知して、送受信モードの設定をすることができる。
【００２３】
すなわち、前記ＣＰＵ２６に通信状態設定手段としての機能をも具備させ、第１実施例と同様に、ＤＴＲの検知で通信可能状態にしたとき（Ｓ２−１〜Ｓ２−３）、モード選択スイッチ２１ｂが記録側に入っている場合には（Ｓ２−４）、送受信回路２５を受信モードにし（Ｓ２−５）、外部機器からデータを受けてＰＣカード１６に記録する（Ｓ２−６，Ｓ２−７）。また再生側に入っている場合には（Ｓ２−４）、送受信回路２５を送信モードにすることで（Ｓ２−８）、外部機器へデータを送る（Ｓ２−９）。このようにすることで、使用目的に適合した送受信モードに自動設定するようにでき、前記送受信切換スイッチを不要にすることができる。
【産業上の利用可能性】
【００２４】
本発明は、外部機器との通信が可能なデジタル電子スチル・カメラに適用される。また、画像データを符号化する手段，音声データを符号化する手段，両データの復号化手段，記憶媒体に記録されている画像データ等を読み出して復号化させる手段の全てが備えられているデジタル電子スチル・カメラのみならず、これらの手段のうち少なくとも１つを備えたデジタル電子スチル・カメラにも適用される。
【図面の簡単な説明】
【００２５】
【図１】本発明のデジタル電子スチル・カメラの第１実施例の構成を示すブロック図
【図２】本発明の第１実施例の通信動作に係るフローチャート
【図３】本発明の第２実施例の通信動作に係るフローチャート
【符号の説明】
【００２６】
１  マイク
３  音声データ圧縮／伸張回路
６  カメラ撮像部
１２  画像データ圧縮／伸張回路
１４  カードＩ／Ｆ回路
１６  ＰＣカード
２１  操作部
２１ａ  送受信切換スイッチ
２１ｂ  モード選択スイッチ
２３  通信Ｉ／Ｆ
２４  通信装置
２５  送受信回路
２６  ＣＰＵ（検知手段，設定手段，通信状態設定手段）
【図１】
2004208328.tif 000003
【図２】
2004208328.tif 000004
【図３】
2004208328.tif 000005